(57)【特許請求の範囲】
【請求項１】
交流電源から供給された交流電圧を直流電圧に変換するコンバータと，このコンバータに接続され直流電圧を交流に変換するインバータと，このインバータに接続されその出力交流電圧を昇圧する高電圧変圧器と，この高電圧変圧器に接続され該高電圧変圧器の出力電圧を直流に変換する整流手段と，この整流手段に接続されたＸ線管とから成り、
前記コンバータは、自己消弧可能なスイッチで構成された全波整流回路と、この全波整流回路の交流入力端と前記交流電源との間に接続された第一のインダクタと、前記交流電源の相電流と相電圧の位相を一致させ、かつ前記全波整流回路の出力電圧を目標電圧に一致させるように前記自己消弧可能なスイッチを制御するコンバータ制御回路とを有し、
前記インバータは、半導体スイッチング素子と、前記半導体スイッチング素子の電圧を略ゼロにして該スイッチング素子をターンオン及びターンオフさせるゼロ電圧スイッチング手段と、前記Ｘ線管に印加する電圧を制御するために上記インバータのスイッチング素子をターンオン及びターンオフさせるタイミングを制御する手段とを有し、
前記ゼロ電圧スイッチング手段は第二のインダクタとコンデンサを有し、
前記高電圧変圧器の二次巻線の浮遊容量に流れる無効電流が重畳される電流が第二のインダクタに流れることによって生じる損失を低減するために、第二のインダクタには直列にスイッチが挿入されて成るＸ線発生装置。
【請求項２】
前記コンバータの出力電圧を第二のインバータで交流に変換し、この第二のインバータの出力を前記Ｘ線管の陽極駆動手段に入力して成る請求項１に記載のＸ線発生装置。
【請求項３】
前記Ｘ線管から放射され被検体を透過した透過Ｘ線量分布を検出すると共にその検出信号を増幅するＸ線検出部と、前記Ｘ線管と前記Ｘ線検出部とを対向させて被検体の周りに回転させるスキャナ回転部と、このスキャナ回転部のＸ線検出部からの出力信号を処理して診断部位の断層像を再構成する画像処理装置と、この画像処理装置からの出力信号を入力して断層像を表示する画像表示装置とを有して成るＸ線ＣＴ装置において、上記スキャナ回転部に請求項１または２に記載のＸ線発生装置を搭載して成るＸ線ＣＴ装置。
【発明の詳細な説明】
【０００１】
【発明の属する技術分野】
本発明は，Ｘ線発生装置及びＸ線コンピュータ断層撮影装置（以下、Ｘ線ＣＴ装置と呼ぶ）に関し、特にＸ線発生装置の効率向上を図り、このＸ線発生装置を搭載したＸ線ＣＴ装置の保守工数の低減と信頼性向上及び設置スペースの低減に好適なＸ線発生装置及びＸ線ＣＴ装置に関する。
【０００２】
【従来の技術】
Ｘ線ＣＴ装置は、Ｘ線管から扇状のＸ線ビームを被検体に照射し、該被検体を透過したＸ線を前記Ｘ線管と対向する位置に配置したＸ線検出器で検出し、この検出したデータを画像処理して前記被検体の断層像を得るものである。
【０００３】
前記Ｘ線検出器は、円弧状に配列された数百にも及ぶ検出素子群で構成され、被検体を挟んでＸ線管に対向して配置されており、検出器素子の数に対応した数の放射状に分布するＸ線通路を形成し、Ｘ線管と検出器が一体となって被検体の周りを360度回転する時に一定角度ごとに被検体の透過Ｘ線を検出する。
【０００４】
このＸ線ＣＴ装置において、近年、“短時間で広い範囲のスキャンが可能”、“体軸方向に連続したデータが得られ、これによって三次元画像の生成が可能になる”等の特徴により、ヘリカルスキャンやスパイラルスキャンと呼ばれるら旋ＣＴが急激に普及した。
【０００５】
このら旋ＣＴは、撮影中に積極的に撮影位置を移動させることで広範囲から多層の撮影にかかる時間を大幅に短縮して、三次元のＣＴ撮影を可能としたものである。
【０００６】
すなわち、このようなら旋ＣＴは、固定したスキャナ本体が連続回転スキャンを行うと同時に、寝台を体軸方向に連続移動させて、Ｘ線管は被検体に対し相対的にら旋運動をさせるものである。このように、ら旋スキャンは撮影中、連続回転スキャンと並行して撮影位置も変えているため、全体の撮影時間が短縮される。また、撮影中に体軸方向にも連続走査しているため、三次元データを収集していることになる。
【０００７】
このら旋スキャンを実現するためには、スキャナ回転盤を連続して回転させる必要があり、そのためにはスキャナ回転盤に搭載したＸ線管に連続して電力を供給するための手段が必要となる。この手段とし、スリップリングとブラシから成る電力伝達機構が用いられ、前記スキャナ回転盤にＸ線管と共に該Ｘ線管に高電圧（以下、この電圧を管電圧と呼ぶことにする）を印加するための高電圧発生装置を搭載し、この高電圧発生装置に前記電力伝達機構を介して前記Ｘ線管から所要のＸ線を発生するための電力を供給する。
【０００８】
このように、高電圧発生装置はスキャナ回転盤に搭載されて高速に回転されるために、その重量はできるだけ軽い方が望ましい。このため、Ｘ線高電圧装置には、前記高電圧発生装置の高電圧変圧器を小型、軽量化でき、かつ管電圧の脈動を小さくできるインバータ式Ｘ線高電圧装置が用いられる。
【０００９】
このインバータ式Ｘ線高電圧装置は、商用の交流電源をコンバータ回路で直流電圧に変換し、この直流電圧をインバータ回路で前記商用電源周波数よりも高い周波数の交流電圧に変換して、この高周波の交流電圧を高電圧変圧器で昇圧し、この昇圧した交流高電圧を高電圧整流器で直流の高電圧に整流して、この直流高電圧をＸ線管に印加してＸ線を発生するように構成されており、スキャナ回転盤には高電圧変圧器以降の回路、すなわち高電圧発生装置が搭載され、前記インバータ回路の出力を前記スリップリングとブラシから成る電力伝達機構により前記高電圧変圧器に所要の電力を供給するように構成されている。
【００１０】
そして、高電圧変圧器の小型化と管電圧波形の脈動低減及びのために、インバータ回路の周波数は20kHz以上に高周波化されたものを用いている。
【００１１】
【発明が解決しようとする課題】
上記のように、ら旋ＣＴは、固定したスキャナ本体が連続回転スキャンを行うと同時に、寝台を体軸方向に連続移動させて、Ｘ線管は被検体に対し相対的にら旋運動をするので、連続回転スキャン時間が長くなる。さらに、近年においては、モーションアーチファクトがなく、心臓の診断も可能とするためにスキャン時間はますます高速化する傾向にあり、１スキャン時間が0.5秒以下のものが要望されるようになってきた。
【００１２】
このように、最短で0.5秒もの高速回転型のＸ線ＣＴ装置は，それより低速の装置に比べて回転時間に反比例して短時間当たりのＸ線出力を高めなければならない。すなわち，粒状ノイズの少ない良好な断層画像を得るためには，Ｘ線管の陽極と陰極間に流す電流に（以下，管電流という）をスキャナ回転速度に反比例して多く流し、十分なX線量を発生させて被検体にＸ線を放射する必要があり、管電流は従来のものよりも多くなる。
【００１３】
したがって、スキャン時間の高速化による管電流の増大とら旋スキャンによる撮影時間の長時間化とにより、Ｘ線管には大容量のものが必要となり、このＸ線管に電力を供給するインバータ式Ｘ線高電圧装置も大出力のものが必要となってきた。具体的には、60kWを連続して１分以上出力できるＸ線高電圧装置が必要となる。しかし、管電流が大きくなると、当然上記スリップリングとブラシから成る電力伝達機構に流れる電流も増大し、上記電力伝達機構のスリップリングは，ブラシに対して高速で，しかも滑りながら大電流を供給しなければならないという性質から，両者の接触面が発熱し，荒れや焼きつきが生じやすい。このため定期的にスリップリングの表面を磨いたり，ブラシを交換するなどという保守が必要で，信頼性を保つことが困難である。
【００１４】
一方、設置スペースの縮減のためにＸ線ＣＴ装置のユニット数をスキャナ、テーブル及び画像処理ユニットを内蔵した操作卓の３つのユニットのみで構成されるものが望まれている。この要望に応えるためには、上記した大出力のＸ線高電圧装置を小型、軽量化して、これをスキャナ回転部に搭載できるようにする必要がある。しかし、Ｘ線高電圧装置を大出力化すると損失も大きくなり、従来の技術では困難である。すなわち、Ｘ線高電圧装置を高効率のものにする必要がある。通常，インバータは電力用半導体スイッチング素子で構成されているが，このスイッチング素子は，ターンオン動作，及び，ターンオフ動作のときスイッチング素子の電圧と電流の重なりによってスイッチング損失が生じ，また，オン状態のとき，流れる電流とオン時の電圧の積に応じて導通損失が生じる。
【００１５】
このうち，インバータが商用の200Vや400Vの交流電源電圧を整流して得られる200V〜450V程度の直流入力電圧で動作しているときは，スイッチング損失はある範囲の大きさで，大きな問題とはならないが，Ｘ線発生装置全体を効率良く動作させるためにはインバータの直流入力電圧を高くして回路に流れる電流を小さくしなければならない。このためには、前記直流入力電圧を600V〜800V程度まで高くする必要があるが、このような高い電圧でインバータを動作をさせると，該インバータを構成する半導体スイッチング素子でのスイッチング損失が動作電圧にほぼ比例して増加するので、特別な工夫を施してこのスイッチング損失を抑制する必要性がある。
【００１６】
また，回転部分に搭載されるコンバータ，インバータ，高電圧変圧器，高電圧整流器，及びＸ線管からなるＸ線発生装置は，スキャナ回転部の回転によって重力の６倍〜15倍ほどの遠心力を受ける。このような過酷な条件で動作するＸ線発生装置は，十分な機械的強度をもつように小型、軽量なものに設計されているが，上記したように、従来の技術では回転速度のさらなる高速化と，回転時間に反比例したさらなる高出力化は困難な情況にある。この外に，Ｘ線管の陽極は，該陽極上で発生した熱を輻射によって効率良く放散させるために，回転駆動型陽極が採用されている。この陽極駆動には，誘導モータ型のステータコイル，Ｘ線管の真空中で陽極と一体になって高速駆動されるロータとが，絶縁耐圧をとるため所定の距離を置いて配置されているため駆動効率が低く，ステータコイルへ供給する電圧としては通常500V〜850Vもの高電圧が必要である。ところが従来のＸ線ＣＴ装置では，200V系統の交流電源でも動作するようにするために、別途，高電圧直流電源か，ステータコイルへ駆動電圧を供給する前に昇圧変圧器を設けており、これも小型、軽量化を阻害する一因になっている。
【００１７】
そこで，本発明は、
（1）Ｘ線高電圧装置の高効率化を図り、スキャン時間の高速化によるＸ線管に流す電流の大電流化及びこの大電流で長時間のら旋スキャンに対応できる大出力のＸ線高電圧装  置を提供する。
【００１８】
（2）上記Ｘ線高電圧装置の高効率化により、商用電源から該Ｘ線高電圧装置への電力を供給するスリップリングとブラシから成る電力伝達機構に流れる電流を低減して、該電力伝達機構の保守工数を低減し、Ｘ線ＣＴ装置の信頼性向上を図る。
【００１９】
（3）上記Ｘ線高電圧装置とＸ線管の陽極回転駆動回路の小型、軽量化により、これらをスキャナ回転盤に搭載して、設置スペースを削減できるＸ線ＣＴ装置を提供する。ことを目的とする。
【００２０】
【課題を解決するための手段】
上記課題は以下に基づいて解決するものである。
先ず、Ｘ線高電圧装置の高効率化を図るためには、Ｘ線高電圧装置を構成する各回路の損失を低減することである。そのためには、回路に流れる電流の低減と電力用半導体スイッチング素子のスイッチング損失の低減が有効である。
【００２１】
そこで、回路に流れる電流を低減するために、商用の交流電源に流れる電流と電圧の位相を一致させて力率を改善して無効電流を減らすことである。このために、商用電源を直流電源に変換する交流／直流変換部（コンバータ）にパルス幅変調制御のコンバータ回路を用いてこれを制御し、前記交流電源に流れる電流と電圧の位相を一致させる。
【００２２】
次に、前記直流に変換されたコンバータ回路の出力を入力して再び交流に変換するインバータ回路以降の電流を低減するために、インバータ回路に入力する電圧を高くする。
【００２３】
すなわち、コンバータ回路は電圧を高くする昇圧機能を有する回路方式を採用して、前記商用電源周波数よりも非常に高い周波数で動作するインバータ回路に流れる電流を低減する。また、スイッチング損失を低減するためには該インバータ回路のスイッチング素子に印加される電圧をゼロにして前記スイッンチング素子をターンオン、ターンオフさせる、いわゆるソフトスイッチングと呼ばれる技術を用いる。
【００２４】
以上により、コンバータには、高力率と電圧を昇圧する機能とを備えたパルス幅変調制御方式のコンバータを用い、インバータには、スイッチング損失の低減が図れるゼロ電圧ターンオン、ターンオフ機能を備えたソフトスイッチングインバータを用いる。
【００２５】
次に、スリップリングとブラシから成る電力伝達機構に流れる電流を低減するためには、前記のコンバータとインバータを用い、前記交流電源とコンバータとの間に電力伝達機構を設け、この電力伝達機構から前記コンバータに交流電力を供給すれば、前記スリップリングとブラシに流れる電流が低減し、これによって両者の接触面の発熱を抑制でき，荒れや焼きつきが生じにくくなるので、スリップリングの表面を磨いたり，ブラシを交換するなどという保守工数の大幅な低減で可能となる。
【００２６】
そして、上記のＸ線高電圧装置の高効率化と上記コンバータの出力電圧をＸ線管の陽極回転駆動回路の直流電源とすることによって、これらの装置は小型、軽量化されてスキャナ回転盤に搭載可能となり、これによってＸ線ＣＴ装置は、スキャナ、テーブル及び画像処理ユニットを内蔵した操作卓の３つのユニットのみの構成となり、Ｘ線ＣＴ装置の設置スペースの縮減が可能となる。
【００２７】
以上のことを基本にして上記目的は以下によって達成される。
【００２８】
（1）交流電源から供給された交流電圧を直流電圧に変換するコンバータと，このコンバータに接続され直流電圧を交流に変換するインバータと，このインバータに接続されその出力交流電圧を昇圧する高電圧変圧器と，この高電圧変圧器に接続され該高電圧変圧器の出力電圧を直流に変換する整流手段と，この整流手段に接続されたＸ線管とから成り、前記コンバータは、自己消弧可能なスイッチで構成された全波整流回路と、この全波整流回路の交流入力端と前記交流電源との間に接続されたインダクタと、前記交流電源の相電流と相電圧の位相を一致させ、かつ前記全波整流回路の出力電圧を目標電圧に一致させるように前記自己消弧可能なスイッチを制御するコンバータ制御回路とを有し、前記インバータは、半導体スイッチング素子と、前記半導体スイッチング素子の電圧を略ゼロにして該スイッチング素子をターンオン及びターンオフさせるゼロ電圧スイッチング手段と、前記Ｘ線管に印加する電圧及び該Ｘ線管に流す電流の設定信号に応じて上記インバータのスイッチング素子をターンオン及びターンオフさせるタイミングを制御する手段とを有して成る。
【００２９】
（2）前記ゼロ電圧スイッチング手段はインダクタとコンデンサを有する。
【００３０】
（3）前記コンバータの出力電圧を第二のインバータで交流に変換し、この第二のインバータの出力を前記Ｘ線管の陽極駆動手段に入力する。
【００３１】
（4）Ｘ線管と、このＸ線管から放射され被検体を透過した透過Ｘ線量分布を検出すると共にその検出信号を増幅するＸ線検出部と、前記Ｘ線管とＸ線検出部とを対向させて被検体の周りに回転させるスキャナ回転部と、このスキャナ回転部のＸ線検出部からの出力信号を処理して診断部位の断層像を再構成する画像処理装置と、この画像処理装置からの出力信号を入力して断層像を表示する画像表示装置とを有して成るＸ線ＣＴ装置において、上記スキャナ回転部に上記（1）、（2）、（3）に記載のＸ線発生装置を搭載する。
【００３２】
【発明の実施の形態】
図１は，本発明の実施例として，交流電源を介して該電源の交流電力を給電するスリップリングとブラシから成る電力伝達機構、昇圧と高力率機能を備えたパルス幅変調制御型AC/DCコンバータ（以下、昇圧型高力率AC-DCコンバータと呼ぶ），ゼロ電圧ターンオン／ターンオフ手段を備えたインバータ（以下、ソフトスイッチングインバータと呼ぶ），高電圧変圧器，Ｘ線管などからなるＸ線発生装置をスキャナ回転部に搭載したＸ線ＣＴ装置の構成示す図である。
【００３３】
図1において、1は交流電源，102a、102b、102cは前記交流電源1に接続されこの交流電圧をスキャナの回転部108へ伝達するためのブラシ，111a，111b、111cは前記ブラシ102a，102b、102cに接触しながらスキャナ回転部108とともに回転するスリップリングで、前記ブラシ102a、102b、102cと前記スリップリング111a，111b、111cで電力伝達機構を構成している。31a〜31cはスリップリング2から供給される交流の各相に接続され交流電源側へ高周波の電圧脈動が伝達されないようにするためのコンデンサ，32a〜32cは交流の各相に直列に挿入されたインダクタ，４はインダクタ32a〜32cに接続された昇圧型高力率AC/DCコンバータ，５はAC/DCコンバータの出力直流電圧を高周波の交流に変換するソフトスイッチングインバータで，このソフトスイッチングインバータ４には補助リアクトル21とコンデンサ22，23が接続されており，このコンデンサ22と23はそれぞれ前記AC/DCコンバータ4の直流側へ接続されている。６はソフトスイッチングインバータに接続されその高周波の交流電圧を昇圧する高電圧変圧器，７は高電圧変圧器６に接続されその交流高電圧を直流高電圧に変換する高電圧整流器，８は高電圧整流器７に接続されその直流高電圧を平滑化するコンデンサ（図示省略の高電圧ケーブルに存在する寄生の静電容量も含む）、10はコンデンサ８に接続され供給された直流高電圧からＸ線を発生するＸ線管である。
【００３４】
また，11はスリップリング２を介して昇圧型高力率AC/DCコンバータ４に供給される電流とコンバータ４の直流出力電圧を検出しながらAC/DCコンバータを制御するコンバータの制御回路，12はＸ線管10に供給される直流高電圧を入力しこれが所望の電圧になるようにソフトスイッチングインバータ５を制御するインバータ制御回路である。
【００３５】
14は，昇圧型高力率AC/DCコンバータの出力側に接続され，この直流電圧から50Hz〜200Hz程度の交流を発生させ，Ｘ線管10の陽極を回転駆動するための陽極駆動回路で，通常のインダクションモータ用インバータと同様の構成と機能をもっている。
【００３６】
以上によりＸ線発生装置80を構成している。
Ｘ線管10から放射されたＸ線は，被検体109を透過したのち，Ｘ線検出部107を構成する検出器116で検出されさらにアンプ117で増幅される。111dはスキャナの回転部108に搭載されたスリップリング，102dはスリップリング111dに接触しながら前記アンプ117から出力されるＸ線検出信号を伝達するブラシ，112はブラシから伝達されたＸ線検出信号から断層像を生成する画像処理装置，110は画像処理装置112に接続され生成された断層像を表示する画像表示装置である。
【００３７】
次に，このように構成されたＸ線ＣＴ装置の動作について説明する。
先ず、Ｘ線発生装置80から説明する。
【００３８】
昇圧型高力率AC-DCコンバータ４は，コンバータの制御回路11によって，スリップリング２への入力電流が正弦波で、該スリップリング２に入力される電圧との位相を一致させて力率がほぼ１となるように前記入力電流の位相が制御される。さらに，直流出力電圧を交流入力電圧のピーク値より高くする昇圧機能をもつことができる。これらの機能を持つAC/DCコンバータの構成及び動作は，特開平7-50200などに開示されているので，詳細は省略する。
【００３９】
このような高力率で電力を受電できる高力率AC/DCコンバータをＸ線発生装置に適用すると，スリップリング２に流れる電流を最小限にすることが可能である。すなわち、従来フルブリッジ型３相全波整流ダイオード整流回路を用いた場合は，その整流回路が交流電源から入力する有効電力と皮相電力の比，すなわち，力率は0.4〜0.6程度である。これに対して、本発明に用いたAC/DCコンバータ４は、スリップリング２から出力される交流電源と前記コンバータ４との間にインダクタ32a〜32cを接続し、これらのインダクタと前記コンバータ直流出力の正側、負側の各間に、自己消孤可能なスイッチング素子、例えば絶縁ゲート型バイポーラトランジスタ（以下、ＩＧＢＴと略称する）を接続してフルブリッジ型３相全波整流回路を構成し、かつこれらの自己消孤可能なスイッチング素子に各々逆並列にダイオードを接続してコンバータを構成する。そして、このコンバータに入力する相電流と相電圧を検出してこれらの位相を一致させ、かつ該コンバータの出力電圧が所定の電圧になるように前記コンバータ制御回路11を制御する。したがって、力率１で電力を取り込める前記高力率AC/DCコンバータの場合，従来のダイオード整流回路に対して入力電流を１／2.5〜１／1.67程度で良いことになる。それだけ，スリップリングとブラシに流れる電流が小さくて済み，接触面で発生する電力損失による発熱を低減し，信頼性の高いＸ線発生装置を構成することが可能になる。さらに、交流電源の容量も、従来の60〜70％で良いという効果もある。
【００４０】
また，更に，図１に示した昇圧型高力率AC/DCコンバータ４は，直流出力電圧を交流入力電圧のピーク値より高くする昇圧機能を備えているために，昇圧型AC/DCコンバータ４の出力側に接続されているソフトスイッチングインバータ５を高電圧で動作させることが可能で，一次側からみた変圧器６の二次巻線の浮遊容量を効果的に低減させることが可能で，それだけソフトスイッチングインバータ５の電流と，高電圧変圧器６の一次巻線電流を低減させ，これら回路内に生じる損失を大幅に低減することが可能である。
【００４１】
一次巻線側からみた二次巻線の浮遊容量 Cpは，「高野博司，畠山敬信，中岡睦雄：“トランス共振形大容量DC-DCコンバータの医用Ｘ線高電圧装置への応用”，電気学会産業応用部門論文誌，Vol.117-D，No.2，pp. 133-141（1997-2）」に記載があるように，巻数比の二乗に比例することが知られている。
【００４２】
【数１】
0005089834.tif 000002
ここで，Cp ：一次側に換算した二次巻線の浮遊容量(F)，eo：真空の誘電率(F/m)，ee：油浸紙の比誘電率，r2：二次巻線の平均半径(m)，h2：一次，二次巻線の高さ(m)，n：高電圧トランスの巻数比，d：二次巻線の層間距離(m)，mLayer：二次巻線の層数，m2nd：一脚当たりの二次巻線の分割数，mLeg：脚数である。  200Vの交流電源からCT装置用に140kVの高電圧を得ようとすると，Ｘ線発生装置が電力を取り込むときの交流電圧の電圧降下を見込むと，インバータの入力電圧は360V程度しか見込むことができず，そのため巻数比は490ほどが必要になる。
【００４３】
この場合，例えば，(1)式で求められる一次側に換算した二次巻線の浮遊容量は，Cpは2.5μF程度である。このとき，一次巻線に流れる電流は，Ｘ線管に流れる管電流が小さい場合であっても100〜200Aにも達し，管電流が大きい場合にも常に有効な電力にこの二次巻線の浮遊容量に流れる無効電流が重畳されることになる。
【００４４】
この無効電流によってインバータや高圧変圧器で損失による熱が発生するため，高速スキャンＸ線ＣＴ装置用Ｘ線発生装置に必要な十分な管電流を出力できないばかりか，発生した熱の放散のために，冷却フィンや冷却用ファンを設けるなどの処置が必要となり、装置が大型化してしまう。
【００４５】
これに対して，図１で示した本発明の実施例では，ソフトスイッチングインバータ５の直流入力側に昇圧型高力率AC/DCコンバータを備えているために，この直流電圧を例えば600V〜800V程度まの高めることができ，高電圧変圧器６の巻数比が小さくても，たとえばn=180〜200でも十分な高電圧出力を得ることができるようになる。
【００４６】
この場合，高電圧変圧器６の一次巻線電流と，インバータに流れる電流は，巻数比が従来の490に比べて１／５〜１／４程度に低減し，高電圧変圧器６一次巻線の銅損と，ソフトスイッチングインバータ５の導通損失，特に管電流が小さいとき大幅に低減可能である。昇圧機能を持たない従来のダイオード式コンバータに対して，昇圧機能をもった本コンバータを用いることは，上述のようにＸ線発生装置の損失を低減するために非常に有効である。昇圧型AC/DCコンバータは単相交流電源用，３相交流電源用それぞれにいくつかの方式があるが，本実施例の趣旨は，昇圧機能があることと高力率であることが必要用件であって，その回路方式，制御方式には限定されない。
【００４７】
次に、ソフトスイッチング5について説明する。従来のインバータはこのインバータのスイッチング素子に電圧が印加されている状態でスイッチングするために大きなスイッチング損失を発生させるものであったが、図１に示した本実施例に用いたインバータは、スイッチング損失をほぼゼロにできるソフトスイッチングインバータである。
【００４８】
ソフトスイッチングインバータとは，インダクタやコンデンサを応用してインバータを構成するスイッチング素子のスイッチングによって発生する損失をほぼゼロにするものである。種々のソフトスイッチングインバータが提案されており、例えば，特開平6-22551号に開示されているものがある。図２は上記広報に開示されているソフトスイッチングインバータの一例を説明する図である。
【００４９】
図２において、301は直流電源，311〜314は直流電源301に接続されたコンデンサで，311と312，313と314はそれぞれ直列に接続され接続点が直流電源301の中間の電位を持つようになっている。321〜324は直流電源に接続されH型に構成された電力用半導体スイッチング素子，ここでは逆並列ダイオードオートが内蔵されているIGBT（絶縁ゲート型バイポーラトランジスタ）で表記している。この４つの半導体スイッチ321〜324で一つのインバータを構成している。302はインバータを構成するIGBT321〜324に接続された負荷で，図１に示した第一の実施例では高電圧変圧器の一次巻線以降（Ｘ線管まで）に相当する。341と342は，それぞれIGBT 321と322の接続点，323と324の接続点と前記コンデンサ311と312の接続点，313と314の接続点の間に接続されたインダクタである。331〜334はそれぞれIGBT 321〜324に並列に接続されたコンデンサである。
【００５０】
図３は図２で示したソフトスイッチングインバータの動作を示すタイムチャートである。IGBT 321と322，IGBT 323と324は，図３(a)〜(d)で示した駆動信号に従い，デューティ50%でれぞれ交互にオンオフ動作を繰り返す。そのうえでIGBT 321に対してIGBT 324が位相差φだけ遅れて動作することにより，負荷302に電圧を出力する時間を図３(e)のように制御して結果的に図１で示したＸ線管へ供給する直流高電圧（以下，管電圧という）を制御することができる。
【００５１】
また，同時に，IGBT 321〜324のスイッチング動作によってインダクタ341と342には図３(f)(g)のような三角波の電流が流れる。IGBT 321〜324には，インダクタ341，342がない場合には図３(h)〜(k)で細線で示した電流が流れるが，これらインダクタのために実際には太線で示した電流波形となる。
【００５２】
図３(h)〜(k)で示した電流は必ずマイナス方向の状態でスイッチがターンオンし，プラス方向のときオフする。マイナス方向に電流が流れているときはIGBTに内蔵されている逆並列ダイオートが導通している状態，すなわち，IGBTの電圧がほぼゼロの状態を意味し，この状態でIGBTがターンオンしてもスイッチング損失は発生しない。また，IGBTがターンオフするときは直ちにIGBTの電流がゼロになるものの，IGBTに並列に接続されたコンデンサ311〜314によって，IGBT両端の電圧上昇が遅れ，やはりスイッチング損失は生じない。
【００５３】
このように，インダクタ341，342，及び，コンデンサ331〜334を設けることによって，インバータにはスイッチング損失が生じない，ソフトスイッチングインバータを構成することができる。
【００５４】
図１に示した本発明の第一の実施例では，インダクタ21と，図１に図示省略したが図２のコンデンサ331〜334とでソフトスイッチングインバータを実現することを表している。
【００５５】
なお，図２で示したソフトスイッチングインバータでは，図３に示したように，左側のIGBT 321，322がもともとダイオードに電流が流れた状態でターンオンする性質があり，このような場合には左型のインダクタ341は省略することができる。
【００５６】
ソフトスイッチングインバータには図２で示した回路以外にも種々の回路方式が考えられる。たとえば，インダクタ341，342に流れる電流を抑制し，これらインダクタに流れる電流によって生じる損失を低減するために，インダクタに直列にスイッチを挿入することもできる。
【００５７】
これらに本発明は，昇圧型高力率AC/DCコンバータを高電圧で動作させる場合に，その高電圧動作化によってインバータ部分で増加するスイッチング損失を低減しようとするもので，その趣旨でソフトスイッチングインバータを用いるために，その回路方式を限定するものではない。
【００５８】
また，図１では，昇圧型高力率AC/DCコンバータで高電圧化された直流電圧を陽極駆動回路に接続して，Ｘ線管の陽極を駆動している。これは，昇圧型スタータの電圧として十分な高電圧を作り出せることを利用したもので，この構成も，別に高電圧の直流電源を設ける必要がなく，Ｘ線発生装置全体を小型化するのに役立っている。この陽極駆動回路の構成と動作は，特開2000-150193号等に詳述されているので，ここでは詳しい説明を省略する。
【００５９】
【発明の効果】
以上、本発明による効果を列記すれば以下のようになる。
【００６０】
（1）Ｘ線高電圧装置の効率向上により、スキャン時間の高速化によるＸ線管に流す電流の大電流化及びこの大電流で長時間のら旋スキャンに対応できる大出力のＸ線高電圧装  置を提供できる。
【００６１】
（2）上記Ｘ線高電圧装置の効率向上により、商用電源から該Ｘ線高電圧装置への電力を供給するスリップリングとブラシから成る電力伝達機構に流れる電流が低減し、該電力伝達機構の保守工数の低減と高信頼性、高画質のＸ線ＣＴ装置を提供できる。
【００６２】
（3）上記Ｘ線高電圧装置とＸ線管の陽極回転駆動回路を小型、軽量化して、これらをスキャナ回転盤に搭載できるようにしたので、スキャナ、テーブル及び画像処理ユニットを内蔵した操作卓の３つのユニットの構成となり、設置スペースの小さいＸ線ＣＴ装置を提供できる。
【図面の簡単な説明】
【図１】本発明の実施例を示す図。
【図２】ソフトスイッチングインバータの一例を示す図。
【図３】ソフトスイッチングインバータのタイミングチャートを示す図。
【符号の説明】
１…交流電源、111a，111b，111c，111d…スリップリング、102a，102b，102c，102d…ブラシ、31a，31b，31c，22，23，311，312，313，314，331，332，333，334…コンデンサ、21，32a，32b，32c，341，342…インダクタ、４…昇圧型高力率AC/DCコンバータ、５…ソフトスイッチングインバータ、６…高電圧変圧器、７…高電圧整流器、８…平滑コンデンサ、10…Ｘ線管、11…コンバータ制御回路、12…インバータ制御回路、80…Ｘ線発生装置、107…Ｘ線検出部、108…スキャナの回転部、109…被検体、110…画像表示装置、112…画像処理装置、116…検出器、117…アンプ、301…直流電源、321，322，323，324…絶縁ゲート型バイポーラトランシスタ（IGBT）
【図１】
0005089834.tif 000003
【図２】
0005089834.tif 000004
【図３】
0005089834.tif 000005